(57)【要約】【課題】  押圧駒の取付位置を容易に変更することのできるツボ押し具を提供する。【解決手段】  ツボ押し具を構成する中敷き１０には複数の取付突起１２が等間隔で形成される。ツボ押し具を構成する押圧駒１６の一方面には複数の押圧突起１８が形成され、他方面には取付突起１２に嵌合する取付孔が形成される。取付突起１２と取付孔とを嵌合させることにより、押圧駒１６を任意の位置で中敷き１０に装着することができる。よって、使用者の好みに応じた足裏のツボを刺激できるだけでなく、使用した後であっても、押圧駒１６の取付位置を容易に変更できる。つまり、使用に伴って中敷き１０に溜まる埃は、押圧駒１６の再装着を阻害する要因となるが、取付突起１２が形成された中敷き１０には、その構造上、埃が閉じこめられる袋小路がなく、溜まった埃はブラシ等で払うことにより容易に除去できるため、押圧駒１６の取付位置を変更して再装着することができる。【選択図】  図５
2005143806.tif 000002
【特許請求の範囲】
【請求項１】
複数の取付突起を備える足載せ面が形成されるベース部材と、
一方面には押圧突起が形成され、他方面には前記取付突起の少なくともいずれか１つに嵌合する取付孔が形成され、前記取付孔を介して前記ベース部材に着脱自在に装着される押圧駒とを有することを特徴とするツボ押し具。
【請求項２】
請求項１記載のツボ押し具において、前記押圧駒の側部に取り外し片を形成することを特徴とするツボ押し具。
【請求項３】
請求項２記載のツボ押し具において、前記取り外し片に前記取付突起が挿通される貫通孔を形成するとともに、前記取り外し片の先端に摘み部を形成することを特徴とするツボ押し具。
【請求項４】
請求項１〜３のいずれか１項に記載のツボ押し具において、前記ベース部材にその外縁部を切除するためのガイド線を形成することを特徴とするツボ押し具。
【請求項５】
請求項１〜４のいずれか１項に記載のツボ押し具において、前記ベース部材は中敷きであることを特徴とするツボ押し具。
【請求項６】
請求項１〜３のいずれか１項に記載のツボ押し具において、前記ベース部材は履物の足載せ台であることを特徴とするツボ押し具。
【発明の詳細な説明】
【技術分野】
【０００１】
本発明は、足裏のツボを刺激するツボ押し具に関する。
【背景技術】
【０００２】
歩行時に足裏のツボを刺激することにより、血行を良くして疲労回復や健康増進を図るようにした中敷きやサンダル等が開発されている。これらの中敷きやサンダルは足裏のツボに対応した突起部を備えており、この突起部が歩行時に足裏のツボを刺激するようになっている。しかしながら、ツボを刺激する突起部は中敷きやサンダルに予め固定されたものであるため、必ずしも万人に対して良好な指圧効果を与えるものではなかった。つまり、足裏のツボの位置は、性別、体格、足のサイズなどにより変化するものであり、更には使用者が好むツボや刺激量は多種多様であるため、予め突起部の取付位置や高さを設定することは困難となっていた。
【０００３】
そこで、突起部を備える押圧駒を着脱自在に設けるようにした中敷き等が開発されている（たとえば、特許文献１参照）。この中敷きには複数の凹部が形成されており、押圧駒には凹部に嵌合する凸部が形成されている。これにより、押圧駒を任意の位置に装着することができるため、使用者の好みに応じてツボを刺激することができる。また、中敷きにパイル状のテープを貼り付けるとともに、押圧駒にフック状のテープを貼り付けることにより、いわゆる面ファスナーを介して押圧駒を着脱自在に設けるようにした中敷きも開発されている。
【特許文献１】特開２００３−３８２０６号公報（第２頁、図１）
【発明の開示】
【発明が解決しようとする課題】
【０００４】
しかしながら、押圧駒を着脱自在に取り付けるため、中敷きに多数の凹部を形成したり、中敷きにパイル状のテープを貼り付けたりすると、使用した後に、押圧駒の取付位置を変更することが困難となっていた。つまり、凹部が形成された中敷きにあっては、埃が凹部を塞いでしまうため押圧駒の再装着が困難となり、パイル状のテープが貼り付けられた中敷きにあっては、埃がテープに絡まるため所定の締結力を発揮させることが困難となっていた。たとえ、同一人によって中敷きが使用される場合であっても、使用者の体調などに応じて刺激したいツボやその刺激量は変化するため、押圧駒の取付位置を容易に変更することのできる中敷きが所望されている。
【０００５】
また、中敷きに装着された押圧駒によって指圧効果を得ているため、使用者が足裏を全体的に刺激しようとする場合には、多数の押圧駒が必要となっていた。これにより、押圧駒の取付作業が繁雑になってしまうだけでなく、中敷きの高コスト化を招くことになっていた。
【０００６】
本発明の目的は、使用された後であっても、押圧駒の取付位置を容易に変更することのできるツボ押し具を提供することにある。
【０００７】
本発明の他の目的は、指圧効果を高めたツボ押し具の低コスト化を達成することにある。
【課題を解決するための手段】
【０００８】
本発明のツボ押し具は、複数の取付突起を備える足載せ面が形成されるベース部材と、一方面には押圧突起が形成され、他方面には前記取付突起の少なくともいずれか１つに嵌合する取付孔が形成され、前記取付孔を介して前記ベース部材に着脱自在に装着される押圧駒とを有することを特徴とする。
【０００９】
本発明のツボ押し具は、前記押圧駒の側部に取り外し片を形成することを特徴とする。
【００１０】
本発明のツボ押し具は、前記取り外し片に前記取付突起が挿通される貫通孔を形成するとともに、前記取り外し片の先端に摘み部を形成することを特徴とする。
【００１１】
本発明のツボ押し具は、前記ベース部材にその外縁部を切除するためのガイド線を形成することを特徴とする。
【００１２】
本発明のツボ押し具は、前記ベース部材は中敷きであることを特徴とする。
【００１３】
本発明のツボ押し具は、前記ベース部材は履物の足載せ台であることを特徴とする。
【発明の効果】
【００１４】
本発明によれば、ベース部材に取付突起を形成し、これに嵌合する取付孔を押圧駒に形成するようにしたので、容易に押圧駒の位置を変更することができる。つまり、使用に伴ってベース部材に溜まる埃は、押圧駒の再装着を阻害する要因となるが、取付突起が形成されたベース部材には、その構造上、埃が閉じこめられてしまう袋小路がなく、溜まった埃はブラシ等で払うことにより除去することができるため、容易に押圧駒を再装着することができる。
【００１５】
また、ベース部材に取付突起を形成することにより、押圧駒を装着していない部位であっても、使用者の足裏に適度な刺激を与えることができ、疲労回復や健康増進などの指圧効果を向上させることができる。つまり、取付突起は押圧駒を支持する機能に加えて、指圧効果を高める機能を兼ね備えているため、指圧効果を高めるために多数の押圧駒を用意する必要がなく、ツボ押し具の低コスト化を達成することができる。
【００１６】
さらに、ベース部材に取付突起を形成することにより、ベース部材の足載せ面と使用者の足裏との間に所定の空間を保つことができ、足裏の通気性を良好に保つことができる。これにより、足の蒸れを解消することができ、快適にツボ押し具を使用することができる。
【００１７】
さらに、押圧駒に取り外し片を形成するようにしたので、ベース部材に装着された押圧駒を容易に取り外すことができる。
【００１８】
さらに、取り外し片に貫通孔を形成し、取り外し片の先端に摘み部を形成するようにしたので、摘み部を摘み易い位置に配置することができる。
【００１９】
さらに、ベース部材にガイド線を形成するようにしたので、ベース部材を足のサイズに幅広く対応させることができる。
【発明を実施するための最良の形態】
【００２０】
以下、本発明の実施の形態を図面に基づいて詳細に説明する。
【００２１】
図１(Ａ)は本発明の一実施の形態であるツボ押し具の中敷き１０を示す平面図であり、図１(Ｂ)は(Ａ)の中敷き１０を示す側面図である。また、図２は中敷き１０の使用状態を説明する斜視図であり、図３(Ａ)および(Ｂ)は外縁部を切除した中敷き１０を示す平面図である。
【００２２】
図１(Ａ)および(Ｂ)に示すように、ベース部材である中敷き１０は、ほぼ足形の平板状に形成されており、足載せ面１１には複数の取付突起１２が形成されている。図示するように複数の取付突起１２は、同一の間隔Ｌで規則的に配列されており、足載せ面１１のほぼ全体に広がるように形成されている。また、中敷き１０にはこれを貫通する複数の通気孔１３が形成されており、この通気孔１３は足載せ面１１のほぼ全体に分散するように形成されている。そして、図２に示すように、この中敷き１０を使用する際には、使用者の足裏を中敷き１０の足載せ面１１と向かい合わせるために、足載せ面１１が上方を向くように靴１４の内部に収容されることになる。
【００２３】
また、図１(Ａ)に示すように、中敷き１０には複数のガイド線であるガイド溝１５が形成されている。このガイド溝１５に沿って中敷き１０の外縁部１０ａを切除することにより、図３(Ａ)および(Ｂ)に示すように、使用者の様々な足のサイズに中敷き１０を対応させることができる。なお、ガイド線としては、刻印により形成されるガイド溝１５に限られることはなく、印刷によりガイド線を形成しても良く、ガイド溝１５に代えてミシン目を形成するようにしても良い。
【００２４】
図４(Ａ)はツボ押し具の押圧駒１６を示す平面図であり、図４(Ｂ)は(Ａ)の押圧駒１６を示す背面図である。また、図４(Ｃ)は(Ａ)の押圧駒１６を示す側面図であり、図４(Ｄ)は(Ａ)のａ−ａ線に沿って押圧駒１６を示す断面図である。
【００２５】
図４(Ａ)および(Ｂ)に示すように、押圧駒１６は台状の基部１７を備えており、基部１７の一方面には複数の押圧突起１８が形成され、基部１７の他方面には複数の取付孔１９が形成されている。また、図４(Ａ)〜(Ｄ)に示すように、基部１７の両側部には長手方向に伸びる薄板状の取り外し片２０が形成されており、それぞれの取り外し片２０には貫通孔２１が形成されている。さらに、取り外し片２０の先端には上方に伸びる摘み部２２が形成されており、摘み部２２の先端は基部１７に向けてほぼ直角に曲げられている。なお、図４(Ｂ)および(Ｄ)に示すように、基部１７に形成される取付孔１９と取り外し片２０に形成される貫通孔２１とは、中敷き１０の取付突起１２と同一の間隔Ｌで規則的に配列されている。
【００２６】
図５(Ａ)は中敷き１０に押圧駒１６を装着する過程を示す斜視図であり、図５(Ｂ)は中敷き１０に押圧駒１６を装着した状態を示す斜視図である。また、図６は押圧駒１６が装着された中敷き１０の全体を示す平面図である。
【００２７】
まず、図５(Ａ)に示すように、中敷き１０の取付突起１２と押圧駒１６の取付孔１９との位置関係を合わせた状態のもとで、押圧駒１６を中敷き１０に対して押し込むようにすると、図５(Ｂ)に示すように、中敷き１０の取付突起１２に押圧駒１６の取付孔１９を嵌合させることができ、中敷き１０に押圧駒１６を装着することができる。樹脂材料によって形成される中敷き１０や押圧駒１６は適度な弾性を有するため、嵌合箇所に弛みなどを発生させることはなく装着時の確実性を高めることができる。また、中敷き１０に押圧駒１６を装着することにより、取り外し片２０の貫通孔２１を中敷き１０の取付突起１２が突き抜けるようになっている。
【００２８】
図６に示すように、このように装着された押圧駒１６は、中敷き１０の足載せ面１１を部分的に盛り上げることになるため、押圧駒１６に接触する足裏を集中的に刺激することができる。また、押圧駒１６が装着されていない部位、つまり取付突起１２が剥き出しになる部位であっても、取付突起１２により足裏を適度に刺激することができるため、疲労回復や健康増進などの指圧効果を向上させることができる。つまり、中敷き１０の取付突起１２は、押圧駒１６を支持する機能に加えて、指圧効果を高める機能を兼ね備えているため、指圧効果を高める場合であっても多数の押圧駒１６を用意する必要がなく、ツボ押し具の低コスト化を達成することができる。なお、図６に示すように、押圧駒１６は中敷き１０の爪先側に装着されているが、中敷き１０には一面に広がるように取付突起１２が形成されるため、この取付位置に限られることはなく、使用者の好みの位置に装着することができる。
【００２９】
続いて、押圧駒１６を中敷き１０から取り外す手順について説明する。図７(Ａ)および(Ｂ)は図５(Ｂ)のａ−ａ線に沿う断面図であり、押圧駒１６を取り外す際の過程を示している。図７(Ａ)に示すように、押圧駒１６を中敷き１０から取り外す際には、まず、取り外し片２０の摘み部２２を指先で摘みながら矢印方向に引き上げる。続いて、図７(Ｂ)に示すように、摘み部２２を更に引き上げることにより、一方の貫通孔２１から他方の貫通孔２１にかけて、押圧駒１６の取付孔１９が取付突起１２から次々と抜けることになる。
【００３０】
このように、摘み部２２を引き上げることによって、押圧駒１６をしならせながら取り外すようにすると、弾性を有する押圧駒１６の取付孔１９は一時的に拡張されるため、中敷き１０から押圧駒１６を容易に取り外すことができる。なお、中敷き１０と押圧駒１６が強固に嵌合している場合であっても、押圧駒１６の両側部に取り外し片２０を形成するようにしたので、これらの取り外し片２０を共に引き上げることにより、押圧駒１６を容易に取り外すことができる。
【００３１】
また、取り外し片２０に貫通孔２１を形成するとともに、取り外し片２０の先端に摘み部２２を形成するようにしたので、摘み部２２を摘み易い位置に配置することができる。つまり、貫通孔２１を形成することなく摘み部２２を形成すると、基部１７とこれに隣接する取付突起１２との間に摘み部２２を配置する必要があるため、基部１７および取付突起１２が障壁となり摘み部２２が非常に摘み辛くなるが、図示するように貫通孔２１を形成することにより、摘み部２２を配置する際の自由度を高めることができる。
【００３２】
また、摘み易い位置に摘み部２２を配置することができるため、図７(Ａ)に示すように、摘み部２２の高さを取付突起１２の頂点よりも低く抑えることができる。これにより、靴下の繊維などを摘み部２２によって引っ掛けることがなく、靴下やストッキング等の損傷を心配することなく安心して使用することができる。さらに、摘み部２２の先端をほぼ直角に曲げるようにしたので、指先の掛かりが良好となり、容易に摘み部２２を引き上げることができる。
【００３３】
このように、中敷き１０や押圧駒１６を形成するようにしたので、中敷き１０の様々な取付位置に押圧駒１６を装着することができ、使用者の好みに応じて足裏のツボを刺激することができる。しかも、中敷き１０の取付突起１２によって押圧駒１６を支持するようにしたので、一旦使用した後に、押圧駒１６の位置を変更する場合であっても、容易に取付位置を変更することができる。つまり、使用に伴って中敷き１０に溜まる埃は、押圧駒１６の再装着を阻害する要因となるが、取付突起１２が形成された中敷き１０には、その構造上、埃が閉じこめられてしまう袋小路がなく、溜まった埃はブラシ等で払うことにより除去することができるため、容易に押圧駒１６を再装着することができる。
【００３４】
たとえば、パイル状のシートを設けた中敷きにあっては、埃がシートに絡み付いてしまうため所定の締結力を発揮させることが困難となり、凹部を設けた中敷きにあっては、埃が凹部を塞いでしまうため押圧駒の再装着が困難となるが、中敷き１０に押圧駒１６を支持する取付突起１２を形成することにより、これらの問題点を解決することができるのである。
【００３５】
また、中敷き１０に取付突起１２を形成することにより、中敷き１０の足載せ面１１と使用者の足裏との間に所定の空間を保つことができる。さらに、中敷き１０に通気孔１３を形成することにより、中敷き１０の足裏の蒸れた空気を排出することが容易となる。これらにより、足裏の通気性を良好に保って足の蒸れを解消することができ、使用者が快適にツボ押し具を使用することが可能となる。
【００３６】
図８は本発明の他の実施の形態であるツボ押し具の押圧駒２３，２４，２５を示す平面図である。図８に示すように、押圧駒の形状は前述した形状に限られることはなく、押圧駒２３，２４のように、取付突起１２の配列方向に対して傾くように基部２３ａ，２４ａを形成するようにしても良く、押圧駒２５のように、基部２５ａを長手方向に更に延ばすようにしても良い。これら基部２３ａ，２４ａ，２５ａの形状や押圧突起１８の高さ寸法は、足裏のツボ形状や刺激量に応じて様々な形状や寸法に設定することができる。
【００３７】
これまで、靴１４の内部に収容する中敷き１０について説明してきたが、ツボ押し具のベース部材としては中敷き１０に限られることはなく、ベース部材としての足載せ台に複数の取付突起１２を形成するようにしても良い。図９はサンダル２６を示す平面図である。図９に示すように、履物であるサンダル２６の足載せ台２７に複数の取付突起１２を形成することによって、サンダル２６の足載せ台２７をベース部材としても良い。この足載せ台２７に押圧駒１６，２４等を装着することにより、前述した効果と同様の効果を得ることができる。
【００３８】
以上、本発明者によってなされた発明を実施の形態に基づき具体的に説明したが、本発明は前記実施の形態に限定されるものではなく、その要旨を逸脱しない範囲で種々変更可能であることはいうまでもない。たとえば、中敷き１０やサンダル２６に形成される取付突起１２や、押圧駒１６に形成される押圧突起１８は、先端が球面の円柱形状に限られることはなく、他の形状に形成しても良い。また、履物の足載せ台である靴の中底に複数の取付突起１２を形成して、これに押圧駒１６を装着するようにしても良い。さらに、中敷き１０にツボの位置を示す図柄を印すことにより、使用者が押圧駒１６を装着する際の利便性を向上させるようにしても良い。
【００３９】
なお、中敷き１０、サンダル２６、押圧駒１６，２３〜２５は、合成樹脂などの樹脂材料によって形成されているが、樹脂材料に限られることはなく、弾性を有する他の素材でこれらを形成するようにしても良い。
【図面の簡単な説明】
【００４０】
【図１】(Ａ)は本発明の一実施の形態であるツボ押し具の中敷きを示す平面図であり、(Ｂ)は(Ａ)の中敷きを示す側面図である。
【図２】中敷きの使用状態を説明する斜視図である。
【図３】(Ａ)および(Ｂ)は外縁部を切除した中敷きを示す平面図である。
【図４】(Ａ)は本発明の一実施の形態であるツボ押し具の押圧駒を示す平面図であり、(Ｂ)は(Ａ)の押圧駒を示す背面図であり、(Ｃ)は(Ａ)の押圧駒を示す側面図であり、(Ｄ)は(Ａ)のａ−ａ線に沿って押圧駒を示す断面図である。
【図５】(Ａ)は中敷きに押圧駒を装着する過程を示す斜視図であり、(Ｂ)は中敷きに押圧駒を装着した状態を示す斜視図である。
【図６】押圧駒が装着された中敷きの全体を示す平面図である。
【図７】(Ａ)および(Ｂ)は図５(Ｂ)のａ−ａ線に沿う断面図であり、押圧駒を取り外す際の過程を示している。
【図８】本発明の他の実施の形態であるツボ押し具の押圧駒を示す平面図である。
【図９】サンダルを示す平面図である。
【符号の説明】
【００４１】
１０    中敷き（ベース部材）
１０ａ  外縁部
１１    足載せ面
１２    取付突起
１３    通気孔
１４    靴
１５    ガイド溝（ガイド線）
１６    押圧駒
１７    基部
１８    押圧突起
１９    取付孔
２０    取り外し片
２１    貫通孔
２２    摘み部
２３〜２５    押圧駒
２３ａ〜２５ａ    基部
２６    サンダル（履物）
２７    足載せ台（ベース部材）
【図１】
2005143806.tif 000003
【図２】
2005143806.tif 000004
【図３】
2005143806.tif 000005
【図４】
2005143806.tif 000006
【図５】
2005143806.tif 000007
【図６】
2005143806.tif 000008
【図７】
2005143806.tif 000009
【図８】
2005143806.tif 000010
【図９】
2005143806.tif 000011